(57)【要約】【課題】  ランナーを伸ばして増殖する植物の栽培において、子苗の成長を損なわない生産性の高い栽培方法を提供すること並びに安価かつ経済的にその栽培装置を提供すること。【解決手段】  親株用容器３０を保持したテーブル状の保持具を地面から浮かして配置し、前記親株用容器３０の周辺に上部がプラスチックフィルムシート２１からなり下部が受けネット２２からなる２層構造の育苗用容器４０の保持部２０を配置し、前記親株用容器３０の親株から成長したランナーを前記育苗用容器４０の培土に植え付けて子苗を育成すると共に、前記親株からの子苗の発生状況に応じて前記育苗用容器４０の前記保持部２０上の位置を適宜に変更するようになしたことを特徴とするランナーを伸ばして増殖する植物の栽培方法と、そのための２層構造の育苗用容器４０の保持部２０を有する装置である。【選択図】      図１
2005176618.tif 000002
【特許請求の範囲】
【請求項１】
ランナーを伸ばして増殖する植物の栽培方法において、親株用容器を保持したテーブル状の保持具を地面から浮かして配置し、前記親株用容器の周辺に上部がプラスチックフィルムシートからなり下部が受けネットからなる２層構造の育苗用容器の保持部を配置し、前記親株用容器の親株から成長したランナーを前記育苗用容器の培土に植え付けて子苗を育成すると共に、前記親株からの子苗の発生状況に応じて前記育苗用容器の前記保持部上の位置を適宜に変更するようになしたことを特徴とするランナーを伸ばして増殖する植物の栽培方法。
【請求項２】
前記プラスチックフィルムシートの所定位置に孔を開けて、前記育苗用容器を挿入して前記育苗用容器を前記保持部に保持・固定させたことを特徴とする請求項１に記載のランナーを伸ばして増殖する植物の栽培方法。
【請求項３】
前記受けネットのメッシュを前記育苗用容器を保持できる大きさとし、前記受けネットにより前記育苗用容器を前記保持部に保持・固定させたことを特徴とする請求項２に記載のランナーを伸ばして増殖する植物の栽培方法。
【請求項４】
前記プラスチックフィルムシート上にさらに押さえネットを設けたことを特徴とする請求項１のランナーを伸ばして増殖する植物の栽培方法。
【請求項５】
親株用容器を保持して地面から浮かして配置されたテーブル状の保持具と、
前記親株用容器の周辺に配置された上部がプラスチックフィルムシートからなり下部が受けネットからなる２層構造の育苗用容器の保持部と、
前記保持部に配置された培土が入れられた子苗を育成するための育苗用容器と、からなり、
前記親株用容器の親株から成長したランナーを前記育苗用容器の培土に植え付けて子苗を育成すると共に、前記親株からの子苗の発生状況に応じて前記育苗用容器の前記保持部上の位置を適宜に変更できるようになしたランナーを伸ばして増殖する植物の栽培装置。
【請求項６】
前記プラスチックフィルムシートは、前記育苗用容器を挿入すると孔が開くように、薄くなされているか又は切り込みが入れられていることを特徴とする請求項４に記載のランナーを伸ばして増殖する植物の栽培装置。
【請求項７】
前記受けネットのメッシュは、前記育苗用容器を保持できる大きさであることを特徴とする請求項５に記載のランナーを伸ばして増殖する植物の栽培装置。
【請求項８】
前記プラスチックフィルムシート上にさらに押さえネットを備えていることを特徴とする請求項５に記載のランナーを伸ばして増殖する植物の栽培装置。
【発明の詳細な説明】
【技術分野】
【０００１】
本発明は、ランナー（つる）を伸ばして増殖する植物の栽培方法及び装置に関するものであり、特にランナーを伸ばして増殖する植物の栽培を容易にする方法及びそのための簡単な構造で、安価で経済的な装置にかかるものである。
【背景技術】
【０００２】
ランナーを伸ばして増殖する、例えばイチゴのような、植物の栽培においては、親株からランナーを伸ばして採苗して複数に分けた子苗とし、これらの子苗をそれぞれ個別に育成するのが一般的である。
【０００３】
一方、近時、生産者が施肥や給水などの作業をしやすいように、適度な高さに設置するテーブル状の保持具に保持した親株用容器の周囲に育苗用容器を配列保持し、親株から成長したランナーを育苗用容器の培土に植え付けて子苗を育苗する高設栽培方法が知られ、広く利用されるようになってきている。そして、害虫などの対策や、生産者の作業及び管理面からは、採苗も育苗も高設栽培とすることが好ましい。
【０００４】
高設栽培とする際に、好適な栽培装置として、図５のように、支柱１０１ａを備えるフレーム１０１によって、地面から浮かした高さに設置されたテーブル状の保持具１０２に、育苗用容器１０４を一定の間隔をもって規則的に分散配置し、親株から成長したランナーを順に育苗用容器１０４の栽培土に植え付ける装置であって、樹脂によって形成した板状の保持具１０２に、育苗用容器１０４を落とし込むための差込孔１０２ｂと親株用容器１０３を落とし込むための取付け孔１０２ａとを設け、育苗用容器１０４と親株用容器１０３を略同じレベルで配置し栽培する栽培装置が知られている。（特許文献１参照）
【０００５】
また、同じく高設栽培に好適な装置として、図６のように、育苗用容器１１２の保持を、４本の脚１１０ａとこれらの上端に固定した支え１１０ｂとその上に載せた金網１１０ｃとでなるフレーム１１０を備え、その上に載せた比較的厚いプラスチックのラミネートフィルム（例えばポリエチレンテレフタレートとポリプロピレンフィルムの積層体）で形成した保持具１１１で行うものがあった。この保持具１１１には円形の開口１１１ａが規則的に多数形成されて、この開口１１１ａに育苗用容器１１２を差し込んで保持するようになっており、そして多仕様の育苗用容器に対応するために開口１１１ａの周囲には、孔を拡張できるように、開口の外側に周方向スリットを間歇的に形成したものであった。保持具１１１は枠体１２１によってフレーム１１０にビス等で固定され、保持される。（特許文献２参照）
【０００６】
【特許文献１】特許第３３９８６２８号公報（第２頁［００１０］〜［００１６］、図２）
【特許文献２】特許第３０５８８６５号公報（第２頁−３頁、第１図）
【０００７】
このように、ランナーを伸ばして増殖する植物の栽培方法は、親株から成長したランナーを育苗用容器の培土に植え付けて子苗を育苗するが、従来の育苗用容器は、親株用容器の周辺に規則的に配置、保持されており、イチゴの場合でいえば、一株の親株から平均１２〜２５株の子苗が株分けされるが、親株によっては発生した子苗の位置と育苗用容器の位置は必ずしも適切に合うとは言えなかった。このため栽培装置の孔から下にランナーが伸び、育苗用容器で子苗を受ける前に地表に子苗が栽置してしまったり、ランナーの絡みの発生や距離の相違により、１次苗が育苗用容器で受けられなかったり、子苗の一様な成長促進にも限界があり、生産性に大きく影響するという問題があった。
【０００８】
また、このようなランナーを伸ばして増殖する植物の栽培方法においては、前述のように、地面から浮かした高さに設置するテーブル状の高台の装置が用いられるが、これらの装置は親株用容器と子苗用容器を保持する保持具が樹脂によって形成した板状の保持具であって、工場での生産加工を必要とする。あるいは、親株用容器とその周囲に設けた育苗用容器を保持する金網と、複数種のプラスチックの積層体で形成したシートと、これらを押さえる外枠とからなる保持部を備えており、各台ごとに外枠が必要なので、この外枠が製造に手間を要し、かつ大型になることから、従来の栽培装置は高価になるという問題があった。
【０００９】
このため、子苗の位置により育苗用容器の位置を適切に選ぶことができ、子苗の成長を損なわない栽培装置が望まれている。また、従来の栽培装置は構造的に高価になるので、簡単な構造で、より安価で経済的な栽培装置が望まれている。
【発明の開示】
【発明が解決しようとする課題】
【００１０】
本発明者等は、上述のような問題点を解決すべく種々検討を重ねた結果、育苗用容器の保持方法について、プラスチックフィルムシート、受けネットの２層で形成された育苗用容器の保持部を設けることによって、子苗の位置と育苗用容器の位置が適切に選べることに着目し、またかかる構成を採用することによって、工場での生産加工を必要とすることなく、構造が簡単で、より安価で経済的な保持部を有する栽培装置が提供できることを見出し、本発明を完成するに至ったものである。
【００１１】
すなわち、本発明は、前記の問題点を解決することを課題とし、ランナーを伸ばして増殖する植物の栽培方法において、子苗の成長を損なわない生産性の高い栽培方法を提供することを目的とするものである。
【００１２】
また、本発明は、ランナーを伸ばして増殖する植物の栽培装置を、安価かつ経済的に提供することを目的とするものである。
【００１３】
さらに、本発明は、ランナーを伸ばして増殖する植物の栽培方法及びそれに使用する装置を提供し、その果実の生産性を向上させ、果実を安価に提供できるようにすることを目的とする。
【課題を解決するための手段】
【００１４】
前記課題を解決するために、本願に係る第一の態様の発明は、ランナーを伸ばして増殖する植物の栽培方法において、親株用容器を保持したテーブル状の保持具を地面から浮かして配置し、親株用容器の周辺に上部がプラスチックフィルムシートからなり下部が受けネットからなる２層構造の育苗用容器の保持部を配置し、親株用容器の親株から成長したランナーを育苗用容器の培土に植え付けて子苗を育成すると共に、親株からの子苗の発生状況に応じて育苗用容器の保持部上の位置を適宜に変更するようになしたことを特徴とする。
【００１５】
また、本発明に係るランナーを伸ばして増殖する植物の栽培方法においては、前記プラスチックフィルムシートの所定位置に孔を開けて、育苗用容器を挿入して育苗用容器を保持部に保持・固定させたことを特徴とする。
【００１６】
さらに、本発明に係るランナーを伸ばして増殖する植物の栽培方法においては、前記受けネットのメッシュを育苗用容器を保持できる大きさとし、受けネットにより育苗用容器を保持部に保持・固定させたことを特徴とする。
【００１７】
さらにまた、本発明に係るランナーを伸ばして増殖する植物の栽培方法においては、前記プラスチックフィルムシート上にさらに押さえネットを設けることが好ましい。
【００１８】
また、前記課題を解決するために、本願に係る第二の態様の発明は、ランナーを伸ばして増殖する植物の栽培装置において、親株用容器を保持して地面から浮かして配置されたテーブル状の保持具と、親株用容器の周辺に配置された上部がプラスチックフィルムシートからなり下部が受けネットからなる２層構造の育苗用容器の保持部と、保持部に配置された培土が入れられた子苗を育成するための育苗用容器と、からなり、親株用容器の親株から成長したランナーを育苗用容器の培土に植え付けて子苗を育成すると共に親株からの子苗の発生状況に応じて育苗用容器の保持部上の位置を適宜に変更できるようになしたものである。
【００１９】
また、本発明に係るランナーを伸ばして増殖する植物の栽培装置においては、前記プラスチックフィルムシートは、育苗用容器を挿入すると孔が開くように、薄くなされているか又は切り込みが入れられていることが好ましい。
【００２０】
また、本発明に係るランナーを伸ばして増殖する植物の栽培装置においては、前記受けネットのメッシュは、育苗用容器を保持できる大きさであることを特徴とする。
【００２１】
さらにまた、本発明に係るランナーを伸ばして増殖する植物の栽培装置においては、前記プラスチックフィルムシート上にさらに押さえネットを備えていることが好ましい。
【発明の効果】
【００２２】
本発明に係る栽培方法によれば、生産者の作業負担が小さい高設栽培方法において、適切な位置で子苗をいためることなく育苗用容器に捕捉でき、配置関係の最適化により初期成長における子苗の成長促進を妨げないようになる。
【００２３】
また、本発明に係る栽培方法によれば、プラスチックフィルムシートに孔を開け、育苗用容器を挿入して保持部に保持・固定させるので、保持する場所の選択に自由度が大きく苗の生長に応じた適切な配置ができる。この場合、プラスチックフィルムシートの所定位置に育苗用容器を挿入するための切り込みを施すことによって、育苗用容器の保持部への挿入が容易になり、作業能率を向上できる。
【００２４】
さらに、本発明に係る栽培方法によれば、受けネットのメッシュを育苗用容器の仕様に合わせ育苗用容器を保持できる大きさとしたことにより、受けネットにより簡単、確実に育苗用容器を保持することができる。
【００２５】
さらにまた、本発明栽培方法においては、押さえネットを付加することにより、プラスチックフィルムシートと受けネットを補強して風に強い栽培方法を提供できる。
【００２６】
また、本発明に係る栽培装置によれば、保持部は樹脂を板状に成型加工する必要がなく、またポリエチレンテレフタレートとポリプロピレンフィルムの積層体のような比較的強度のあるフィルムを使用する必要もなく、市販のネットやプラスチックフィルムシートを使用することができ、安価で経済的な栽培装置が提供できるようになる。
【００２７】
本発明によれば、プラスチックフィルムシートが薄いか、その所定位置に育苗用容器を挿入するための切り込みが施されていることによって、育苗用容器の保持部への挿入が容易な栽培装置が得られる。
【００２８】
さらに、本発明によれば、受けネットのメッシュのサイズを育苗用容器の仕様に合わせることにより、簡単に育苗用容器を保持することができる栽培装置が得られる。
【００２９】
さらにまた、本発明の栽培装置においては、押さえネットを付加することにより、プラスチックフィルムシート、受けネットを補強して台風などの強風にも耐え得る栽培装置を提供できる。
【００３０】
以上述べたとおり、本発明によれば、ランナーを伸ばして増殖する植物の栽培において、子苗の成長を損なわない生産性の高い栽培方法を提供し、また、簡単な構造で安価かつ経済的な栽培装置を提供することができ、これによって、その果実の生産性を向上させ、果実を安価に提供することができるという優れた効果を奏するものである。
【発明を実施するための最良の形態】
【００３１】
以下、本発明にかかるランナーを伸ばして増殖する植物の栽培方法並びに栽培装置について、実施例を添付の図面を参照して詳細に説明する。
【実施例１】
【００３２】
図１は、本発明の栽培装置の一実施例の斜視図であり、本発明の上記目的は、以下の構成により達成し得る。
図１の栽培装置は、イチゴなどのランナーを伸ばして増殖する植物の高設栽培用に用いられるものである。この栽培装置は、地面から立ち上げた２本の支柱１１の上端に連結した支持梁１２を備える１対の支持脚と各支持脚を所定間隔で連結する５本の支持棒１３とによって構成されたフレーム１０と、フレーム１０の両側各２本ずつの支持棒１３の上に被せられ支柱１１に固定されている上層がプラスチックフィルムシート２１、下層が受けネット２２の２層で形成された育苗用容器の保持部２０とを有する。フレーム１０は、支柱１１が地面に打ち込まれた支持脚の支持梁１２に、支持棒１３の両端を結合して構成される。
【００３３】
保持部２０のプラスチックフィルムシート２１は、スプリンクラーを使用した給水の際に、育苗用容器４０に水を集める集水機能を持たせるものである。プラスチックフィルムシート２１は、農業用に使用されるポリエチレン、ポリ塩化ビニル、ポリプロピレン等からなるいわゆるポリシートと呼ばれるものなど、市販のものでよい。
また、受けネット２２は、網目の大きさが育苗用容器４０を保持できるように、育苗用容器の掛止め部分４１よりもわずかに小さい寸法の物が使用され、育苗用容器４０を押し込むとネットが変形しつつ拡張する程度のものが好ましい。その材質は、合成繊維、成型されたポリエチレン、ポリプロピレンなどのプラスチック、金属など適宜選択できるが、比較的柔軟な素材であって、育苗用容器４０の差込みにより、その重みで、図２の断面図に示したように、差込部分が若干下方に垂れ下がる方が集水効率が向上するので好ましい。
【００３４】
フレーム１０の中央の支持棒を挟む３本の支持棒１３には、親株用容器３０が保持されている。
親株用容器３０は、プラスチック製で上端部にフランジ３１が形成されるとともに、２株の親株を並べて植えるように下面中央がくびれた容器であり、中央の窪み３２でフレーム中央の支持棒１３にまたがり、その両端部のフランジ３１は両側の支持棒１３に被せられた受けネット２２とプラスチックフィルムシート２１の上に被さって保持される。
【００３５】
親株用容器３０の周辺の保持部２０には、栽培用の培土を入れた育苗用容器４０を、プラスチックフィルムシート２１を突き破って挿入し、受けネット２２で保持することによって、親株から成長したランナーの子苗をその発生状況に応じ、保持部２０の適切な位置を選択して育苗用容器４０を分散して配置保持することができる。育苗用容器４０は、例えば図２の断面図に示したような、側壁はテーパ状で、下端部を先細に形成した筒型の容器であり、必要に応じて種々の寸法仕様を有する。本発明にかかる栽培装置の保持部２０は、受けネット２２の網目にさえ合えば、育苗用容器４０をどこでも保持できるので、従来のように保持位置を規制されることがない。このため、子苗の状況に応じて育苗用容器４０を分散して配置保持することができるため、子苗の成長を促進することができる。
【実施例２】
【００３６】
図３は本発明の他の実施例にかかる栽培装置の分解斜視図であり、図４はその側断面図である。
図３の栽培装置は、作業しやすい高さまで地面から立ち上げた２本の支柱５１の上端に、支柱５１を連結した支持梁５２を備える１対の支持脚と、支持脚の各支持梁５２を間隔を持って連結する４本の支持桁５３とによって構成されたフレーム５０と、フレームの両側各２本ずつの支持桁５３の上に被せられ支柱５１に固定される上層が押さえネット６３、中層がプラスチックフィルムシート６１、下層が受けネット６２の３層で形成された育苗用容器の保持部６０とを有する。５４はフレーム補強用のワイヤーである。
【００３７】
保持部６０の受けネット６２は、網目の大きさが育苗用容器８０を保持できるように、育苗用容器の掛止め部分８１よりもわずかに小さい寸法の物が使用され、育苗用容器８０を押し込むとネットが変形しつつ拡張し、掛止め部分８１を保持するのが好ましい。受けネットの材質は、合成繊維、成型されたプラスチック、金網など適宜選択できる。金網の場合は、フェンス用等として用いられている一般建材用のものを利用でき、菱形上の網目を持つもの、縦横の針金が直交した正方形状の網目を持つものなど、育苗用容器８０の配置に応じて選択できる。
また、プラスチックフィルムシート６１は、スプリンクラーを使用した給水の際に子株のポットに水を集める集水機能を持たせるものである。プラスチックフィルムシート６１は、農業用に使用されるポリエチレン、ポリ塩化ビニル、ポリプロピレン等からなるいわゆるポリシートと呼ばれるものなど、市販のものでよい。
【００３８】
押さえネット６３は、強風によってプラスチックフィルムシート６１がフレーム５０から捲られるのを防ぐために設けるもので、例えば、イチゴの収穫期と台風の上陸が重なるおそれのある九州地方など、強風地域あるいは強風の季節などにおいて栽培が行われるときに有効である。この押さえネット６３は、受けネット６２と異なり、育苗用容器８０を保持する必要がないので受けネットよりも細く軽いものでよく、網目の寸法が育苗用容器の邪魔にならないものが選定される。材質は、プラスチック素材のものが好ましい。
【００３９】
一例として、図３の実施例においては、押さえネット６３として、１５ｃｍ×１５ｃｍのメッシュを持つ、１ｍ巾×１００ｍ巻のもの、プラスチックフィルムシート６１として、０．０３ｍｍ厚、９５ｃｍ、巾×２００ｍ巻のもの、受けネット６２として、３ｃｍ×３ｃｍのメッシュを持つ、１ｍ巾×１００ｍ巻のものを購入し、適宜所要の寸法に裁断して使用した。
【００４０】
図４により、これら３層の保持部６０がフレーム５０に固定された状態を説明する。
受けネット６２及びプラスチックフィルムシート６１は、巾方向に関して、フレーム５０の下部においてゴムバンド６４で止め得るだけの長さを余すように裁断し、縦方向に関してはフレーム５０からはみ出す必要はなく、端部をフレームにピンなどで留める。受けネット６２及びプラスチックフィルムシート６１は、端部を横方向にゴムバンド６４で引っ張りフレームの支柱５１に結び付け、あるいは端部をパッカーや、接着剤によりフレームの外枠に留めることによって張りを持たせるようにする。
【００４１】
フレーム５０の中央部の２本の支持桁５３には、親株用容器７０が保持されている。親株用容器７０は、上端部にフランジ７１が形成されるとともに、親株の位置や数を自由に設定し、植えられる、プラスチック製の箱型の容器であり、本実施例では、８株の親株を２列に千鳥に並べて植えられている。親株容器７０は、その両側部のフランジ７１が、両側の支持桁５３に被せられた受けネット６２、プラスチックフィルムシート６１と押さえネット６３の上に被さって保持される。
【００４２】
親株用容器７０の周辺の保持部６０には、保持部６０の適切な位置を選択して、栽培用の培土を入れた育苗用容器８０を、プラスチックフィルムシート６１を突き破って挿入し、受けネット６２で保持することによって、親株から成長したランナーの子苗をその発生状況に応じ、育苗用容器８０を分散して配置保持することができる。
育苗用容器８０は、例えば、側壁がテーパ状で下端部を先細に形成した筒型の容器であり、必要に応じて種々の寸法仕様を有する。その寸法に応じ、受けネット６４のメッシュの大きさが選定される。
【００４３】
なお、プラスチックフィルムシート６１に、受けネット６２の網目の中央に対応した個所に予め切れ目などを設けておくと、厚めのシートを用いた場合にも育苗用容器の装着作業が容易になる。
【００４４】
以上には説明を省略したが、フレーム５０は、上記実施例にかかわらず、種々の構造に変更可能である。また、図示しないが、親株用容器７０の配置はフレーム５０の中央に限られず、必要に応じ、例えばフレームの周辺に配置することもできる。この場合には親株から発生する子苗を育成する育苗用容器８０は、フレーム５０の中央部分を含む親株が配置されていない個所に設けた支持部６０に分散して配置される。この他にも、栽培する装置の大きさや栽培する植物に応じて種々の配置形態が選択され得る。
【００４５】
また、フレームの大きさと、プラスチックフィルムシート及び受けネットの幅によっては、フレーム全体をプラスチックフィルムシート及び受けネットで被って支持部を形成した後、親株用容器を保持する部分に孔を設けて親株用容器を挿入してもよい。
【００４６】
以上、図面を参照して本発明の実施例を説明した。ただし、以上に示した実施例は本発明の技術思想を具体化するための、ランナーを伸ばして増殖する植物の栽培における、子苗の成長を損なわない生産性の高い栽培方法並びにそのための安価かつ経済的な栽培装置を例示するものであって、本発明をこの実施例に特定することを意図するものではなく、特許請求範囲に含まれる限りにおいて本発明は他のものにも等しく適用し得るものである。
【図面の簡単な説明】
【００４７】
【図１】図１は、本発明の栽培装置の一実施例斜視図である。
【図２】図２は、育苗用容器の保持状態を示す断面図である。
【図３】図３は、本発明の他の実施例にかかる栽培装置の分解斜視図である。
【図４】図４は、図３の栽培装置の側断面図である。
【図５】図５は、従来の栽培装置の斜視図である。
【図６】図６は、他の従来例にかかる栽培装置の分解斜視図である。
【符号の説明】
【００４８】
１０        フレーム
１１        支柱
１２        支持梁
１３        支持棒
２０        保持部
２１        プラスチックフィルムシート、
２２        受けネット
４０        育苗用容器
４１        掛止め部分
５０        フレーム
５１        支柱
５２        支持梁
５３        支持桁
６０        保持部
６１        プラスチックフィルムシート
６２        受けネット
６３        押さえネット
７０        親株用容器
７１        フランジ
８０        育苗用容器
【図１】
2005176618.tif 000003
【図２】
2005176618.tif 000004
【図３】
2005176618.tif 000005
【図４】
2005176618.tif 000006
【図５】
2005176618.tif 000007
【図６】
2005176618.tif 000008